(57)【要約】【課題】キーを確実に保持することができ、簡単な操作でキーを取り外すことができるとともに、キーの取り付け操作を容易に行うことができるキーホルダを提供する。【解決手段】キーを保持するキーリングと、キーリングの先端部を保持する本体と、を備え、本体には、開口から挿入されたキーリングの先端部を内部に収容する先端収容部が複数形成され、キーホルダは、複数の先端収容部がそれぞれ備える開口に対応するように配置されるとともに、開口の少なくとも一部を覆うように付勢されて、開口からキーリングの先端部が抜けることを防止する複数の保持部材を備え、付勢力に抗して保持部材を移動させることにより、複数の先端収容部のうちの所望の先端収容部からキーリングを脱着可能とする。【選択図】図２
2008228748.tif 000002
【特許請求の範囲】
【請求項１】
キーを保持するキーリングと、
前記キーリングの先端部を保持する本体と、を備えるキーホルダであって、
前記本体には、開口から挿入された前記キーリングの先端部を内部に収容する先端収容部が複数形成され、前記キーホルダは、前記複数の先端収容部がそれぞれ備える開口に対応するように配置されるとともに、前記開口の少なくとも一部を覆うように付勢されて、前記開口から前記キーリングの先端部が抜けることを防止する複数の保持部材を備え、
付勢力に抗して前記保持部材を移動させることにより、前記複数の先端収容部のうちの所望の先端収容部から前記キーリングを脱着可能とすることを特徴とするキーホルダ。
【請求項２】
前記保持部材は、前記先端収容部の内壁の一部を形成する請求項１に記載のキーホルダ。
【請求項３】
前記保持部材は本体内を移動可能な駒であって、その一面が前記開口の少なくとも一部を覆うように付勢される請求項１又は請求項２に記載のキーホルダ。
【請求項４】
前記保持部材は、ばねにより付勢される請求項１から請求項３のいずれか１項に記載のキーホルダ。
【請求項５】
前記本体に対して相対移動可能であって、相対移動することによって前記保持部材への付勢力に抗して前記保持部材を前記開口から離間させるスライド部材を備える請求項１から請求項４のいずれか１項に記載のキーホルダ。
【請求項６】
前記本体は、略直方体形状を備え、その長手方向の一定間隔ごとに前記先端収容部が形成されている請求項１から請求項５のいずれか１項に記載のキーホルダ。
【請求項７】
前記先端収容部は前記本体の上壁に形成され、前記保持部材は前記本体の幅方向に移動可能である請求項１から請求項６のいずれか１項に記載のキーホルダ。
【請求項８】
前記スライド部材は、前記本体の長手方向に移動可能である請求項５に記載のキーホルダ。
【請求項９】
前記キーリングの先端部は、付勢力に抗して前記保持部材を移動させたときに、前記保持部材の上面に形成した傾斜面に当接保持され、この状態から、前記上面と摺接させつつ回動することにより、前記先端収容部から取り外される請求項１から請求項８のいずれか１項に記載のキーホルダ。
【発明の詳細な説明】
【技術分野】
【０００１】
本発明は、キー（鍵）を着脱自在に保持するキーリングを備えたキーホルダに関する。
【背景技術】
【０００２】
従来のキーホルダでは、キーの保持を確実にするために、例えば、キーが保持されるキーリングの構造を複雑化してキーが抜けることを防止したり、剛性を高めることによってキーリングの変形を抑止して、これによりキーが脱落することを防止していた。しかしながら、このような構成とすると、キーの脱落を防ぐことはできるが、キーの交換に手間がかかることとなっていた。
【０００３】
これに対して、特許文献１記載のキーホルダは、キーリング（フック部材）の端部に形成した止環をベース部材内に配置するとともに、この止環に掛止用ロッドを挿通させ、さらに掛止用ロッドをベース部材に係止する構成をとっていた。この構成においては、掛止用ロッドのベース部材への係止を解除して、掛止用ロッドを止環から引き抜くことにより、キーリングとともにキーをベース部材から取り外すことができる。これにより、キーをベース部材へ確実に保持させることができるとともに、簡単な操作でベース部材から取り外すことのできるキーホルダを実現していた。
【特許文献１】特開２００２−８５２４４号公報
【発明の開示】
【発明が解決しようとする課題】
【０００４】
しかしながら、特許文献１記載のキーホルダにおいては、キーを外すために掛止用ロッドを引き抜くと、取り外す必要のないキーも外れてしまうため、外れてしまったキーをすべて取り付けなければならない。さらに、キーを取り付けるためには、すべてのキーリングを保持しつつ、掛止用ロッドを各止環及びベース部材に挿入する操作が必要となることから、手間がかかるだけでなく、ベースを載置しておく場所が必要となり、歩行中にキーが外れてしまった場合には容易に取り付けることができない。
【０００５】
そこで本発明は、キーを確実に保持することができ、簡単な操作でキーを取り外すことができるとともに、キーの取り付け操作を容易に行うことができるキーホルダを提供することを目的とする。また、場所を選ばずに、キーの取り付け操作を行うことができるキーホルダを提供することを目的とする。さらに、本発明の目的は、保持された複数のキーのうち、所望のキーのみを取り外すことが可能なキーホルダを実現することにある。
【課題を解決するための手段】
【０００６】
上記課題を解決するために、本発明のキーホルダは、キーを保持するキーリングと、キーリングの先端部を保持する本体と、を備えるキーホルダであって、本体には、開口から挿入されたキーリングの先端部を内部に収容する先端収容部が複数形成され、キーホルダは、複数の先端収容部がそれぞれ備える開口に対応するように配置されるとともに、開口の少なくとも一部を覆うように付勢されて、開口からキーリングの先端部が抜けることを防止する複数の保持部材を備え、付勢力に抗して保持部材を移動させることにより、複数の先端収容部のうちの所望の先端収容部からキーリングを脱着可能とすることを特徴としている。
【０００７】
本発明のキーホルダにおいて、保持部材は、先端収容部の内壁の一部を形成することが好ましい。
【０００８】
本発明のキーホルダにおいて、保持部材は、本体内を移動可能な駒であって、その一面が開口の少なくとも一部を覆うように付勢されるとよい。
【０００９】
本発明のキーホルダにおいて、保持部材は、ばねにより付勢することができる。
【００１０】
本発明のキーホルダにおいては、本体に対して相対移動可能であって、相対移動することによって保持部材への付勢力に抗して保持部材を開口から離間させるスライド部材を備えるとよい。
【００１１】
本発明のキーホルダにおいて、本体は、略直方体形状を備え、その長手方向の一定間隔ごとに先端収容部が形成されていることが好ましい。
【００１２】
本発明のキーホルダにおいて、先端収容部は、本体の上壁に形成され、保持部材は本体の幅方向に移動可能であるとよい。
【００１３】
本発明のキーホルダにおいて、スライド部材は、本体の長手方向に移動可能である。
本発明のキーホルダにおいて、キーリングの先端部は、付勢力に抗して保持部材を移動させたときに、保持部材の上面に形成した傾斜面に当接保持され、この状態から、上面と摺接させつつ回動することにより、先端収容部から取り外すことができる。
【発明の効果】
【００１４】
本発明によると、キーリングの先端部を内部に収容する先端収容部の開口の少なくとも一部を覆うように付勢されて、開口からキーリングの先端部が抜けることを防止する保持部材を備えるとともに、付勢力に抗して保持部材を移動させることにより、先端収容部からキーリングを脱着可能とする構成であるため、キーを確実に保持することができ、簡単な操作でキーを取り外すことができるとともに、キーの取り付け操作を容易に行うことができる。また、保持部材に外力が加わっていない状態において先端収容部の開口を覆うことから、キーの脱着操作のために加えた外力を解除すると、ただちにキーを保持する状態にもどるため、場所を選ばずに、キーの脱着操作を行うことができる。さらに、キーの脱着操作中も保持部材が付勢されていることから、脱着対象でないキーの保持状態を維持することができるため、保持された複数のキーのうち、所望のキーのみを取り外すことができる。
【発明を実施するための最良の形態】
【００１５】
以下、本発明の実施形態に係るキーホルダ１０について図面を参照しつつ詳しく説明する。
図１から図３に示すように、キーホルダ１０は、キーリング２０、本体３０、スライド部材４０、駒（保持部材）５０、コイルばね（付勢部材）６０、及び、底面部材７０を備える。このキーホルダ１０においては、コイルばね６０の弾性力で付勢された駒５０によって、本体３０の先端収容部３３内に先端部が収容されたキーリング２０が抜け止められるとともに、スライド部材４０を本体３０に対して相対移動することでコイルばね６０の付勢力に抗して駒５０を移動させることによって、先端収容部３３からキーリング２０を脱着可能とするものである。以下にキーホルダ１０の構成について詳細に説明する。ここで、図１は、本実施形態に係るキーホルダ１０の正面を上方から見た斜視図である。図２は、キーホルダ１０の底面及び背面を臨む分解斜視図である。なお、図２においては、図面の簡略化のためにキーリング２０を省略するとともに、５個配置される駒５０の一つのみを示している。また、図３は、キーホルダ１０の構成を示す底面図であって、底面部材７０を省略して示すものである。
【００１６】
キーリング２０は線状の金属部材をリング状に曲成したリング部２１と、このリング部２１の一端においてその外径を他の部分に比し、大きくしてなる先端部２２と、を備える。リング部２１は、その弾性によって閉じたリング形状が維持されるため、キー（不図示）に貫設された保持孔に挿通して、このキーを保持することができる。先端部２２は、当該一端を軸線方向に圧縮したり、型締め加工することで２段の環状の外形部を形成させ、これにより他の部分よりも大きな外径を備えるようにしている（図６ないし図８参照）。
【００１７】
キーリング２０の先端部２２を保持する本体３０は、金属材料を略直方体形状に成形してなる。図１〜図４に示す本体３０の上面（上壁）３０ａ及びこれに連なる側面（側壁）（正面３０ｂ及び背面３０ｃ）には、本体３０の長手方向（図１、図３の左右方向）において一定間隔ごとにキーリング挿入溝３１が互いに並行に穿設されている。ここで、図４は、本体３０の構成を示す、本体３０の正面を上方から見た斜視図である。キーリング挿入溝３１の下端部は、キーリング２０の先端部２２が挿入可能な大きさに穿設された先端部挿入口３２となっている。この先端部挿入口３２は、本体３０の幅方向（図３の上下方向）に沿って形成されている。また、本体３０の高さ方向（図３の紙面垂直方向）及び幅方向の略中央の位置には、本体３０を長手方向に貫通するように、断面形状が略円形の先端収容部３３が形成されている。図６〜８に示すように、先端部挿入口３２と先端収容部３３は、先端収容部３３の断面円形状の一部をなす、下部の円弧状の開口において互いに連通している。キーリング２０の先端部２２は、先端部挿入口３２から本体３０内へ挿入され、先端収容部３３内へ収容される。また、本体３０の長手方向の一端部には、後述のスライド部材４０の操作部４１が上方へ向けて延出する開口部３４が、上面３０ａから底面３０ｄへ貫設されている。
【００１８】
本体３０の底面３０ｄには、キーリング挿入溝３１及び先端収容部３３と対応する位置に、一定間隔ごとに、駒５０及びコイルばね６０を収容する収容凹部３５が形成されている。この収容凹部３５内において、駒５０は、本体３０の幅方向に移動可能である。各収容凹部３５は、その間に形成された隔壁３６によって隔てられている。この隔壁３６と背面３０ｃの間には、本体３０の長手方向に延びるような凹部３７が形成されている。この凹部３７には、スライド部材４０が、本体３０の長手方向に移動可能に収容される。
【００１９】
スライド部材４０は、図２、図５に示すように、金属の長板状部材の一端部が上方に向けて曲成されてなる操作部４１を備える。ここで、図５は、スライド部材４０の構成を示す、底面側から見た斜視図である。スライド部材４０の二つの長辺のうち、本体３０の凹部３７に収容されたときに正面３０ｂ側に配置される長辺には、収容凹部３５の配置間隔に対応した一定間隔ごとに、傾斜付勢部４２が形成されている。この傾斜付勢部４２は、スライド部材４０の長手方向に沿った側壁４３を介して、正面３０ｂに近づくほど操作部４１に近づくように形成された傾斜辺４２ａを備える。スライド部材４０は、凹部３７内に収納され、本体３０の長手方向に移動可能となる。すなわち、スライド部材４０は、本体３０に対して相対移動可能である。傾斜辺４２ａは駒５０に当接しており、駒５０に固定されたコイルばね６０の弾性に基づく付勢力により、本体３０の長手方向の所定位置に配置される。
【００２０】
駒（保持部材）５０は、金属を成形してなるものであって、図２に示すように、正面と底面との稜線に段部５１を備える。駒５０の背面には、コイルばね（圧縮ばね）６０の一方の端部が収容され、かつ、接着固定されるばね収容部５２が穿設されている。また、上面５０ａには、収容凹部５３（図３、６〜８）が形成されている。さらに、上面５０ａの正面側は、先端に向かうほど段部５１に近づくような傾斜面５４となっている。なお、コイルばね６０は、ばね収容部５２内に収容するのみで接着固定しないで用いることもできる。ここで、図６は、図３のＶＩ−ＶＩ線における断面図であって、スライド部材４０及び駒５０に外力を加えていないときの駒５０の状態を示す図である。
【００２１】
図２に示すように、駒５０は、ばね収容部５２内にコイルばね６０を収容した状態で収容凹部３５内に収容される。コイルばね６０は、図３、図６に示すように、一端がばね収容部５２に、他端が収容凹部３５の正面３０ｂ側の内壁に当接し、コイルばね６０の弾性により駒５０は背面３０ｃ側へ付勢される。
【００２２】
本体３０の凹部３７にはスライド部材４０が収容されており、駒５０の段部５１は、スライド部材４０の傾斜付勢部４２に係合する。これにより、スライド部材４０には、駒５０を介してコイルばね６０の弾性による付勢力が働く。このとき、傾斜付勢部４２には、正面３０ｂから背面３０ｃへ向かう方向の付勢力がかかることから、駒５０は、側壁４３に当接するまで傾斜辺４２ａに沿って移動し、スライド部材４０は、図３の矢印Ａ方向に移動する。この移動後において、収容凹部５３は、先端収容部３３（開口３３ａ）に対応した位置に配置される（図６）。すなわち、駒５０は、開口３３ａの一部を覆うように付勢されており、上面５０ａが先端収容部３３の内壁の一部を形成する。
【００２３】
これに対して、操作部４１を操作することにより、コイルばね６０による付勢力に抗して、スライド部材４０を、図９の矢印Ｂ方向（図３の矢印Ａ方向と逆の方向）に移動させると、コイルばね６０が縮むとともに、段部５１が側壁４３に当接していた駒５０は傾斜辺４２ａに沿って正面３０ｂ側へ移動する。このとき、上面５０ａは先端収容部３３（開口３３ａ）から離間し、先端収容部３３は開口３３ａが開放されて先端部挿入口３２と連通する（図１０）。
【００２４】
以上のように、スライド部材４０、駒５０、及びコイルばね６０が収容された本体３０の底面３０ｄには、スライド部材４０、駒５０、及びコイルばね６０の挙動を妨げないように、底面部材７０が固定される（図１）。底面部材７０は、厚さ方向に貫設したねじ穴７１、７２に挿通したねじ８１、８２を、本体３０に設けたねじ穴３８、３９にそれぞれ螺入することによって固定される。
【００２５】
次に、図６〜８を参照しつつ、本体３０へのキーリング２０の取り付け操作について説明する。
図６に示す取り付け操作前の状態では、上述のように、コイルばね６０が伸びようとする弾性によって駒５０は付勢され、先端収容部３３の開口３３ａの位置に上面５０ａの収容凹部５３が配置される。この状態では、キーリング２０の先端部２２は、先端部挿入口３２内に挿入することはできるが、先端収容部３３内には挿入できない。このため、キーリング２０は容易に本体３０から外れてしまう。したがって、以下の手順により、キーリング２０の先端部２２を先端収容部３３内に導入、収容することとしている。
【００２６】
まず、先端部２２を駒５０の側壁に当接させたキーリング２０を操作して、コイルばね６０が縮まるように、駒５０を正面３０ｂ側へ押し込む。これにより、先端収容部３３の開口３３ａを覆うように配置されていた収容凹部５３（上面５０ａ）が先端収容部３３から離間する。このとき、開口３３ａは先端部挿入口３２に連なった状態となって、先端収容部３３内に先端部２２を導入することができる（図７）。ここで、図７は、図３のＶＩ−ＶＩ線における断面図であって、先端収容部３３内に先端部２２を導入する状態を示す図である。
【００２７】
先端収容部３３内に先端部２２が収容されると、先端部２２と駒５０の当接が解除されるため、駒５０はコイルばね６０の弾性によって背面３０ｃ側へ付勢される。これにより、先端収容部３３の開口３３ａには上面５０ａの収容凹部５３が配置されて、収容凹部５３が先端収容部３３の内壁の一部を形成することから、先端部２２が先端収容部３３から抜けることが抑止される（図８）。先端収容部３３に先端部２２が収容されたキーリング２０は、先端部２２を中心に回動可能である。ここで、図８は、図３のＶＩ−ＶＩ線における断面図であって、先端収容部３３内に先端部２２が収納された状態を示す図である。
【００２８】
つづいて、本体３０からのキーリング２０の取り外し操作について、図３、図９、及び図１０を参照しつつ説明する。ここで、図９は、キーホルダ１０の構成を示す底面図であり、スライド部材４０に外力を加えて移動させた状態を、底面部材７０を省略して示すものである。図１０は、図３のＶＩ−ＶＩ線における断面図であって、スライド部材４０に外力を加えているときの駒５０の状態を示す図である。
コイルばね６０の弾性による付勢力に抗して、本体３０の開口部３４から延出した操作部４１をキーリング挿入溝３１に近づく方向に動かすと、加えられた外力により、スライド部材４０は、図９の矢印Ｂ方向に移動する。これにより、駒５０は傾斜辺４２ａに当接しつつ正面３０ｂ側へ移動し、コイルばね６０はスライド部材４０に加えられた外力によって収縮する（図９）。このとき、上面５０ａは先端収容部３３（開口３３ａ）から離間し、先端収容部３３は開口３３ａが開放されて先端部挿入口３２と連通する（図１０）。この状態では、先端部２２は、先端収容部３３から容易に抜くことができ、先端部挿入口３２を介して本体３０から取り外すことができる。
【００２９】
キーリング２０を本体３０から取り外した後に、スライド部材４０に加えていた外力を解除すると、コイルばね６０が伸びようとする弾性により、駒５０を介して傾斜付勢部４２に、正面３０ｂから背面３０ｃへ向かう方向の付勢力がかかる。これにより、駒５０は、側壁４３に当接するまで傾斜辺４２ａに沿って移動し、スライド部材４０は凹部３７内を図３の矢印Ａ方向に移動する。その結果、図６と同様に、収容凹部５３が、先端収容部３３（開口３３ａ）に対応した位置に配置され、上面５０ａが先端収容部３３の内壁の一部を形成する。
【００３０】
以上説明したとおり、キーホルダ１０においては、コイルばね６０の弾性を利用して先端収容部３３の開口３３ａを駒５０の上面５０ａで覆って先端部２２を収容する空間を形成するとともに、先端部２２の導入にあたっては、コイルばね６０の弾性による付勢力に抗して駒５０を移動させることにより先端収容部３３内に先端部２２を収容可能とし、先端部２２の取り外しでは、スライド部材４０を移動させることにより、駒５０を開口３３ａから退避させて先端収容部３３からの先端部２２の取り外しを可能としている。すなわち、本体３０中にキーリング２０の先端部２２を確実に保持できるだけでなく、コイルばね６０の弾性による付勢力に抗して外力を加えることで駒５０を移動可能として、本体３０からキーホルダ１０を脱着可能としている。
【００３１】
先端部２２の導入及び先端部２２の取り外しのときに加える外力は駒５０をわずかに動かす程度であるため、容易にキーリング２０の脱着を行うことができる。さらに、スライド部材４０は本体３０内に収容されていて、キーリング２０の取り外しのときに本体３０から取り外す必要がない。このため、キーリング２０の取り外し操作を、場所を選ばずに行うことができる。
【００３２】
スライド部材４０を移動させると、上面５０ａが開口３３ａから離間して先端収容部３３の開口３３ａが開放される。このとき、キーリング２０の先端部２２は、その下面が駒５０の傾斜面５４に当接しているため、先端収容部３３内に止まった状態となる（図７参照）。この状態から、キーリング２０のリング部２１を操作することにより、先端部２２を、傾斜面５４と摺接しつつ先端部挿入口３２側へ向けて回動すると、所望のキーリング２０のみを取り外すことができる。
【００３３】
以下に変形例について説明する。
上述の実施形態では、駒５０は、本体３０の幅方向に移動可能であったが、これに代えて、駒５０の下面にコイルばね６０を配置して高さ方向に移動可能とすることもできる。
【００３４】
また、本体３０は、スライド部材４０及び駒５０が先端収容部３３を覆うように移動可能であれば、直方体形状以外の形状、例えば円筒形状であってもよい。
【００３５】
本発明について上記実施形態を参照しつつ説明したが、本発明は上記実施形態に限定されるものではなく、改良の目的または本発明の思想の範囲内において改良または変更が可能である。
【図面の簡単な説明】
【００３６】
【図１】本発明の実施形態に係るキーホルダの正面を上方から見た斜視図である。
【図２】本発明の実施形態に係るキーホルダの底面及び背面を臨む分解斜視図である。
【図３】本発明の実施形態に係るキーホルダの構成を示す底面図である。
【図４】本発明の実施形態に係る本体の構成を示す、本体の正面を上方から見た斜視図である。
【図５】本発明の実施形態に係るスライド部材の構成を示す、底面側から見た斜視図である。
【図６】図３のＶＩ−ＶＩ線における断面図であって、スライド部材及び駒に外力を加えていないときの駒の状態を示す図である。
【図７】図３のＶＩ−ＶＩ線における断面図であって、先端収容部内にキーリングの先端部を導入する状態を示す図である。
【図８】図３のＶＩ−ＶＩ線における断面図であって、先端収容部内にキーリングの先端部が収納された状態を示す図である。
【図９】本発明の実施形態に係るキーホルダの構成を示す底面図であり、スライド部材に外力を加えて移動させた状態を示す図である。
【図１０】図３のＶＩ−ＶＩ線における断面図であって、スライド部材に外力を加えているときの駒の状態を示す図である。
【符号の説明】
【００３７】
１０    キーホルダ
２０    キーリング
２２    先端部
３０    本体
３１    キーリング挿入溝
３２    先端部挿入口
３３    先端収容部
３３ａ  開口
３４    開口部
３５    収容凹部
３７    凹部
４０    スライド部材
４２    傾斜付勢部
４２ａ  傾斜辺
５０    駒（保持部材）
５０ａ  上面
５２    ばね収容部
５３    収容凹部
５４    傾斜面
６０    コイルばね
７０    底面部材
【図１】
2008228748.tif 000003
【図２】
2008228748.tif 000004
【図３】
2008228748.tif 000005
【図４】
2008228748.tif 000006
【図５】
2008228748.tif 000007
【図６】
2008228748.tif 000008
【図７】
2008228748.tif 000009
【図８】
2008228748.tif 000010
【図９】
2008228748.tif 000011
【図１０】
2008228748.tif 000012